(57)【要約】【課題】本発明は、ＣＤケース等に図柄や文字等を立体的に印刷する印刷方法に関する発明である。【構成】本発明であるＣＤ収納ケース等の立体印刷方法は、上記の課題を解決するために、プラスチック製のＣＤ収納ケース等の表面に多色刷り又は単色刷りのスクリーン印刷を施し、前記スクリーン印刷された部分にＵＶインクを塗布しＵＶ印刷を施した後、紫外線照射することによりＵＶ印刷部分が固まり盛り上がることにより立体印刷することを特徴とするＣＤ収納ケース等に立体印刷をする方法の構成とした。【選択図】　図１
2004130779.tif 000002
【特許請求の範囲】
【請求項１】
プラスチック製のＣＤ収納ケース等の表面に多色刷り又は単色刷りのスクリーン印刷を施し、前記スクリーン印刷された部分にＵＶインクを重ね刷り又は直接透明又は着色の１面刷りをすることでＵＶ印刷を施した後、紫外線照射することによりＵＶ印刷部分が固まり盛り上がることにより立体印刷することを特徴とするＣＤ収納ケース等に立体印刷をする方法。
【請求項２】
前記プラスチック製のＣＤ収納ケースに代えて、ＤＶＤ収納ケース等の表面を覆う紙のパッケージ等の表面に立体印刷することを特徴とするＣＤ収納ケース等に立体印刷をする方法。
【請求項３】
前記プラスチック製のＣＤ収納ケースに代えて、ガラス、特に酒やジュース等を入れる筒状のガラス瓶容器の表面に立体印刷することを特徴とする請求項１項に記載のＣＤ収納ケース等に立体印刷をする方法。
【発明の詳細な説明】
【０００１】
【発明が属する技術分野】
本発明は、ＣＤケース等に図柄や文字等を立体的に印刷をする印刷方法に関する発明である。
【０００２】
【従来の技術】
従来から、紙等の被印刷物の表面に立体的に印刷する立体印刷の方法は存在する。また紙以外の被印刷物に印刷する立体印刷方法としては、塩化ビニールなどの基体シートに印刷する立体印刷方法がある。
【０００３】
【発明が解決しようとする課題】
しかしながら、プラスチック製のＣＤ収納ケース等が被印刷物であり、その表面に立体的な印刷をする場合には、従来の印刷方法により印刷し製造したシールをＣＤ収納ケースの表面に貼着し、立体的印刷したように見せる方法では、印刷した印刷物であるシールをＣＤ収納ケースの表面に貼り付けるなどの加工をしなければならず、非常に手間暇がかかっていた。
【０００４】
そこで、本発明は、プラスチック製のＣＤ収納ケース等が被印刷物である場合でも、ＣＤ収納ケースの表面に直接に立体的に印刷をすることができ、立体的に印刷した印刷部分が見事に盛り上がり立体的に見えるように立体印刷をする印刷方法を提供することを目的とするものである。
【０００５】
【課題を解決するための手段】
本発明であるＣＤ収納ケース等の立体印刷方法は、上記の課題を解決するために、プラスチック製のＣＤ収納ケース等の表面に多色刷り又は単色刷りのスクリーン印刷を施し、前記スクリーン印刷された部分にＵＶインクを塗布しＵＶ印刷を施した後、紫外線照射することによりＵＶ印刷部分が固まり盛り上がることにより立体印刷することを特徴とするＣＤ収納ケース等に立体印刷をする方法の構成とした。
【０００６】
【実施例】
以下に、添付図面に基づき、本発明であるＣＤ収納ケース等に立体印刷をする方法について詳細に説明する。図１は、本発明であるＣＤ収納ケース等に立体印刷をする方法の工程の流れを示す図である。図２から図４には本発明であるＣＤ収納ケース等に立体印刷をする方法の各工程を示した。
【０００７】
図１に示すように、本発明であるＣＤ収納ケース等の立体印刷方法１は、スクリーン印刷工程（多色刷り、単色刷り等）２→ＵＶ印刷工程（厚膜に製版したＵＶ版を使用）３→紫外線照射工程（ＵＶ印刷の部分が固まる）４→立体印刷完了（ＵＶ印刷の部分が浮き上がって見える）５の各工程から構成されている。以下に各印刷工程の詳細を図２から図４の図面に基づき説明する。
【０００８】
スクリーン印刷工程２
図２は、本発明であるＣＤ収納ケース等に立体印刷をする方法の第１工程であるスクリーン印刷工程を示した図である。スクリーン印刷工程２では、被印刷物６の印刷面６ａにスクリーン印刷２ａを施す。スクリーン印刷２ａは、多色刷り、単色刷りのいずれも可能である。
【０００９】
印刷面６ａにはスクリーン印刷２ａを施すことで図柄や文字等の印刷物２ｂ、２ｃ、２ｄ、２ｅ、２ｆ、２ｇが印刷される。
ここでは、印刷物２ｅ及び２ｆにカラーインクを用いて印刷したものとして説明する。
【００１０】
ＵＶ印刷工程３
図３は、本発明であるＣＤ収納ケース等に立体印刷をする方法の第２工程であるＵＶ印刷工程を示した図である。ＵＶ印刷工程３では、スクリーン印刷工程２でスクリーン印刷２ａを施した印刷物２ｂ、２ｃ、２ｄ、２ｅ、２ｆ、２ｇのうち、立体的にする任意の印刷物２ｂ、２ｃ、２ｄ、２ｅ、２ｆの上にＵＶ印刷３ａを施す。
【００１１】
即ち、厚膜に製版したＵＶ版を用いて、スクリーン印刷２ａされた印刷物２ｂ〜２ｇの盛り上げたい部分に光硬化性樹脂を使用したＵＶインクを重ねていくのである。この時、必要に応じてＵＶ版の膜厚を変えることで、盛り上がりの高さを調節することが可能である。
【００１２】
ＵＶインクは、できるだけ光を透視しやすくするためにクリアーインクを用いる。前記ＵＶインクは光硬化性樹脂からなり、紫外線を当てることによって固まる性質を持っている。また、前記クリアーインクには着色も可能である。
【００１３】
紫外線照射工程４
図４は、本発明であるＣＤケース等に立体印刷をする方法の第３工程である紫外線照射工程を示す図である。紫外線照射工程４では、図４に示すように、スクリーン印刷工程２及びＵＶ印刷工程３でスクリーン印刷２ａにより印刷された印刷物２ｂの上にＵＶ印刷３ａを施してＵＶインク３ｂを重ねることで、印刷し終わった被印刷物６をベルトコンベアー７に載せ、紫外線照射機４ａにより上から紫外線４ｂを照射する。
【００１４】
ベルトコンベアー７によって、被印刷物６は次々と紫外線照射機４ａの下を通るので、効率よく被印刷物６を紫外線照射機４ａから照射される紫外線４ｂに当てることができる。この時、紫外線４ｂは、３秒程度照射すればよい。
【００１５】
紫外線照射機４ａにより紫外線４ｂを照射された被印刷物６ｂは、乾燥し、光硬化性樹脂の性質によりＵＶインク（光硬化性樹脂）３ｂが固まるので、ＵＶインク（光硬化性樹脂）３ｂ部分が盛り上がったようになる。
【００１６】
以上のように、スクリーン印刷工程２→ＵＶ印刷工程３→紫外線照射工程４の各工程を経ることで、ＣＤケース等の蓋の表面に見栄えのする立体印刷をすることができる。
【００１７】
図５は、本発明であるＣＤ収納ケース等に立体印刷をする方法を用いて立体印刷を施したＣＤ収納ケースの正面図、図６は前記ＣＤ収納ケースの斜視図、図７は図５中に示したＡ−Ａ線に沿った横断面図である。
【００１８】
図５及び図６に示した通り、本発明であるＣＤ収納ケース等に立体印刷をする方法１により印刷されたＣＤ収納ケース８の蓋８ａは、ＵＶ印刷３ａを施しＵＶインク３ｂを印刷した部分は、紫外線４ｂを照射したことによりＵＶインク３ｂが固まり、立体的に盛り上がっている。符号８ｂは、ＣＤ収納ケース８のＣＤを収納する収納部である。
【００１９】
それに対し、ＵＶ印刷３ａを施さず、スクリーン印刷２ａのみにより印刷した印刷物２ｇは紫外線４ｂを照射した後も盛り上がることなく、スクリーン印刷２ａで印刷した印刷物２ｇが綺麗に印刷されたままである。
【００２０】
印刷物２ｅ及び２ｆは、スクリーン印刷２ａ時にカラーインクを用いて印刷した印刷物である。ＵＶ印刷３ａで用いたＵＶインク３ｂはクリアカラーであるために、立体的に盛り上がったＵＶインク３ｂの下に印刷されているスクリーン印刷２ａ時にカラー印刷された印刷物２ｅ及び２ｆのカラー部分が盛り上がっているように見える。
【００２１】
図７は、図５中に示したＡ−Ａ線に沿った横断面図である。図に示したように、ＣＤ収納ケース８の印刷面６ａにＵＶ印刷３ａにより印刷したＵＶインク３ｂが印刷面６ａより大きく盛り上がっている。これは、紫外線照射工程４で紫外線４ｂを照射したことで、ＵＶインク３ｂが固まったことによるものである。符号９はＣＤである。
【００２２】
図８は、本発明であるＣＤ収納ケース等に立体印刷をする方法の構造を示した拡大図である。図８に示すように、本発明であるＣＤ収納ケース等に立体印刷をする方法は、被印刷物６の印刷面６ａにスクリーン印刷２ａで印刷し、ＵＶインクを塗布させて、その上に重ねてＵＶ印刷３ａで印刷をすることで、立体的に印刷されるものである。
【００２３】
本発明であるＣＤ収納ケース等に立体印刷をする方法は、図１に示した各工程を経て印刷することで、ＣＤ収納ケースに限らず各種のプラスチック製品に立体的な印刷物を印刷することができる。
【００２４】
前項
【００２３】に代えて、本発明であるＣＤ収納ケース等に立体印刷をする方法は、図１に示した各工程を経て印刷することで、プラスチック製のＣＤ収納ケースの表面に限らず、プラスチック製のＣＤ収納ケース及びＤＶＤ収納ケース等の表面を覆う紙のパッケージ等の表面、ポスターの表面（屋内屋外に貼付できること問わず）、ステッカー、シール等の各表面に多色刷り又は単色刷りのスクリーン印刷を施し、前記スクリーン印刷された部分にＵＶインクを塗布しＵＶ印刷を施した後、紫外線照射することによりＵＶ印刷部分が固まり、盛り上がることで立体印刷することができる。
【００２５】
図９は、プラスチック製のＣＤ収納ケース及びＤＶＤ収納ケース等の表面を覆う紙のパッケージ等の表面に本発明である立体印刷をする方法を施したＤＶＤ収納ケース１０の正面図である。
【００２６】
図９に示したように、ＤＶＤ収納ケース１０は、収納ケース本体１０ａの表蓋から裏蓋の表面にかけて、手垢等のように汚れを防止するためのコーティングがなされた紙製のパッケージ１０ｂで覆われている。
【００２７】
紙製のパッケージ１０ｂの表面は、略楕円状の模様を印刷したＵＶインク１０ｃと、文字等を印刷したＵＶインク１０ｄから構成され、ＵＶインク１０ｃ、１０ｄはいずれもＵＶ印刷が施され、立体的に盛り上がっている。なお、文字等を印刷し立体的な文字となったＵＶインク１０ｄの下部には、文字が盛り上がらないスクリーン印刷を施した印刷物１０ｅを施すことができる。
【００２８】
また本発明であるＣＤ収納ケース等に立体印刷をする方法は、ＣＤ収納ケース及びＤＶＤ収納ケース等の表面を覆う紙製のパッケージのみならず、ガラス、特に酒やジュース等を入れる筒状のガラス瓶容器の表面や板ガラス、プラスチック、特に液体の化粧品等を入れるためのプラスチック容器や、お茶やジュース等のように飲み物を入れるペットボトルの表面、電飾看板、自動販売機の額絵、プライスカード、カードケース、デスクマット、合成樹脂などの各表面に立体的な印刷物を施すことができる。
【００２９】
図１０に示したのは、酒等を入れる筒状のガラス瓶容器１１の正面図である。図１０に示したように、ガラス瓶容器１１は、瓶容器本体１１ａの正面の下部にある膨らみ部分に、商品名等の文字をＵＶインク１１ｂでＵＶ印刷し、立体的に盛り上がっている。ＵＶインク１１ｂの右部にある文字は文字が盛り上がらないスクリーン印刷を施した印刷物１１ｃである。
【００３０】
なお、商品名等の文字は、瓶容器本体１１ａの表面に直接ＵＶ印刷し、ＵＶインクを施すのみならず、ラベルの表面やシール表面等を利用する場合には、そのラベル等の表面に商品名等の文字をＵＶインクでＵＶ印刷を施し、文字を立体的に盛り上げることができる。
【００３１】
更に本発明であるＣＤ収納ケース等に立体印刷をする方法は、コーティング処理されていないビニール、バナー、フロントライト、バックライト、ストップライト、メッシュ、キャンバス、カーテンサイド素材、アートボード、布、フォーメックス、コレックス、フォームボード、レクサン、ポリカーボネイト、カーペット、木、シートメタル等の各表面に立体的な印刷物を施すことができる。
【００３２】
また前記
【００１２】に代えて、ＵＶインクは、できるだけ光を透視しやすくするためにクリアーインクを用いる。前記ＵＶインクは光硬化性樹脂からなり、紫外線を当てることによって固まる性質を持っている。また、前記クリアーインクには着色も可能である。よって前記スクリーン印刷された部分にＵＶインクを重ね刷り又は直接透明又は着色の１面刷りをすることができる。
【００３３】
【発明の効果】
本発明は、以上に説明したような構成であるから、以下の効果が得られる。
第１に、プラスチック製のＣＤ収納ケース等に直接に立体的な印刷物を印刷することができるので、ＣＤ収納ケース等に立体印刷をするのに簡単容易に印刷できるので、手間が大幅に省くことができる。
【００３４】
第２に、スクリーン印刷時に様々な色やデザインの印刷物を印刷することにより、様々な色やデザインの立体印刷物をＣＤ収納ケース等に印刷することが可能となり、極めて見栄えのするＣＤ収納ケースとなる。
【００３５】
第３に、本発明であるＣＤ収納ケース等に立体印刷をする方法は、ＣＤ収納ケースのみならず、ＣＤ及びＤＶＤ等の表面に付帯する紙のパッケージや、ポスター（屋内屋外問わず）、ガラス瓶等のように素材を問わず、素材の表面に立体的な印刷物を施すことができるため、汎用性が広い。
【図面の簡単な説明】
【図１】本発明であるＣＤケース等に立体印刷をする方法の工程の流れを示す図である。
【図２】本発明であるＣＤケース等に立体印刷をする方法のスクリーン印刷工程を示す図である。
【図３】本発明であるＣＤケース等に立体印刷をする方法のＵＶ印刷工程を示す図である。
【図４】本発明であるＣＤケース等に立体印刷をする方法の紫外線照射工程を示す図である。
【図５】本発明であるＣＤケース等に立体印刷をする方法で印刷したＣＤ収納ケースの正面図である。
【図６】本発明であるＣＤケース等に立体印刷をする方法で印刷したＣＤ収納ケースの斜視図である。
【図７】本発明であるＣＤケース等に立体印刷をする方法で印刷したＣＤ収納ケースのＡ−Ａ断面図である。
【図８】本発明であるＣＤケース等に立体印刷をする方法の構造を示した図である。
【図９】本発明であるＣＤケース等に立体印刷をする方法で紙製のパッケージを印刷したＤＶＤ収納ケースの正面図である。
【図１０】本発明であるＣＤケース等に立体印刷をする方法で印刷した筒状のガラス瓶容器の正面図である。
【符号の説明】
１　　　　　ＣＤケース等に立体印刷をする方法
２　　　　　スクリーン印刷工程
２ａ　　　　スクリーン印刷
２ｂ〜２ｇ　印刷物
３　　　　　ＵＶ印刷工程
３ａ　　　　ＵＶ印刷
３ｂ　　　　ＵＶインク
４　　　　　紫外線照射工程
４ａ　　　　紫外線照射機
４ｂ　　　　紫外線
５　　　　　立体印刷完了
６　　　　　被印刷物
６ａ　　　　印刷面
６ｂ　　　　被印刷物
７　　　　　ベルトコンベアー
８　　　　　ＣＤ収納ケース
８ａ　　　　蓋
８ｂ　　　　　　　　収納部
９　　　　　ＣＤ（コンパクトディスク）
１０　　　　ＤＶＤ収納ケース
１０ａ　　　収納ケース本体
１０ｂ　　　パッケージ
１０ｃ　　　ＵＶインク
１０ｄ　　　ＵＶインク
１０ｅ　　　印刷物
１１　　　　ガラス瓶容器
１１ａ　　　瓶容器本体
１１ｂ　　　ＵＶインク
１１ｃ　　　印刷物
【図１】
2004130779.tif 000003
【図２】
2004130779.tif 000004
【図３】
2004130779.tif 000005
【図４】
2004130779.tif 000006
【図５】
2004130779.tif 000007
【図６】
2004130779.tif 000008
【図７】
2004130779.tif 000009
【図８】
2004130779.tif 000010
【図９】
2004130779.tif 000011
【図１０】
2004130779.tif 000012